(57)【要約】【課題】押鍵ストローク及びハンマーストロークをきめ細かく調整できることにより、演奏時における弱音のコントロール性を十分に得ることができるとともに、ダイナミックレンジをより一層広げることができる鍵盤楽器のストローク調整装置を提供する。【解決手段】複数の鍵７ａの押鍵ストローク及び複数のハンマー２７のハンマーストロークを調整する鍵盤楽器のストローク調整装置４０であって、鍵盤７の上側において、鍵盤７の左右方向の全体にわたって延び、複数の鍵７ａの支点１７よりも前方の所定位置を押下げ可能に設けられた鍵盤押さえ４１と、この鍵盤押さえ４１を上下方向に移動自在に支持するとともに、押鍵ストローク及びハンマーストロークの調整時に、鍵盤押さえ４１を、複数の鍵７ａの所定位置を押し下げた状態に保持する鍵盤押さえ支持装置４２と、を備えている。【選択図】図４
2018072493.tif 000002
【特許請求の範囲】
【請求項１】
各々が前後方向に延びかつ長さ方向の中央付近に設けられた支点を中心として揺動自在に構成され、互いに左右方向に並設された複数の鍵を有する鍵盤と、前記複数の鍵ごとに設けられ、対応する鍵の押鍵に連動して回動する複数のハンマーとを備えた鍵盤楽器において、前記複数の鍵の押鍵ストローク及び前記複数のハンマーのハンマーストロークを調整する鍵盤楽器のストローク調整装置であって、
前記鍵盤の上側において、当該鍵盤の左右方向の全体にわたって延び、前記複数の鍵の前記支点よりも前方の所定位置を押下げ可能に設けられた鍵盤押さえと、
この鍵盤押さえを上下方向に移動自在に支持するとともに、前記押鍵ストローク及び前記ハンマーストロークの調整時に、当該鍵盤押さえを、前記複数の鍵の前記所定位置を押し下げた状態に保持する鍵盤押さえ支持手段と、
を備えていることを特徴とする鍵盤楽器のストローク調整装置。
【請求項２】
前記鍵盤押さえ支持手段は、
上下方向に延び、前記鍵盤押さえの端部が摺動自在に係合するガイド溝をそれぞれ有し、当該鍵盤押さえを上下方向に移動自在に支持する左右２つのホルダと、
前記鍵盤押さえの両端部をそれぞれ上方に付勢する左右２つのばねと、
前記２つのホルダにそれぞれ上方から螺合するとともに、下端部が前記ガイド溝に臨んだ状態で前記鍵盤押さえの端部に上方から当接し、回転操作によって上下方向に移動することにより、前記鍵盤押さえの高さを調整する左右２つの調整ねじと、
を備えていることを特徴とする請求項１に記載の鍵盤楽器のストローク調整装置。
【請求項３】
前記鍵盤押さえ支持手段は、離鍵状態において、前記鍵盤押さえを、前記鍵盤の全ての鍵との間に隙間を存する高さに保持可能に構成されていることを特徴とする請求項１又は２に記載の鍵盤楽器のストローク調整装置。
【発明の詳細な説明】
【技術分野】
【０００１】
本発明は、アコースティックピアノや電子ピアノに適用される鍵盤楽器のストローク調整装置に関し、特に、鍵が押し下げられる深さである押鍵ストローク、及び押鍵に伴って回動するハンマーとそのハンマーが打つ弦などとの距離であるハンマーストロークを調整するための鍵盤楽器のストローク調整装置に関する。
【背景技術】
【０００２】
従来、この種のストローク調整装置として、例えば特許文献１に記載されたものが知られている。このストローク調整装置は、一般的なグランドピアノと同様の鍵盤、アクション及びハンマーを有する鍵盤式打楽器に適用されている。この鍵盤式打楽器では、グランドピアノと同様、棚板上に設けられた筬に、鍵盤が下方から支持された状態で載置されている。鍵盤は、前後方向に延びかつ左右方向に並んだ多数の鍵（白鍵及び黒鍵）を有しており、各鍵が、前後方向の中央付近に立設されたバランスピンを中心として揺動自在になっている。また、各鍵には、バランスピンよりも後方にアクションが載置されており、その上部に、上方に回動自在のハンマーが設けられるとともに、ハンマーの上方に前後方向に延びる金属製の発音体が設置されている。このように構成された鍵盤式打楽器では、演奏時に鍵の前端部が押し下げられると、鍵の後部が上動し、アクションが作動する。そして、このアクションにより、ハンマーが押し上げられることによって上方に回動し、発音体を下方から打つことによって楽音が発生する。
【０００３】
また、上記の鍵盤式打楽器に適用されたストローク調整装置は、鍵盤式打楽器の下部に設けられたストローク調整用のペダル（以下、本欄において「ストロークペダル」という）と、このストロークペダルの後端部から上方に延びるとともに、上端部が棚板を貫通して上方に突出するペダル連結棒と、このペダル連結棒から前方に延びるように設けられるとともに前端部が棚板に回動自在に支持されたアームと、このアームの上側に設けられ、筬から上方に出没可能に構成された左右方向に延びるリフティングバーと、このリフティングバーを上方から覆った状態で筬上に設けられ、鍵盤の全ての鍵の後端部が載置されるバックフェルトなどを備えている。
【０００４】
演奏者によってストロークペダルが踏み込まれると、ペダル連結棒が上方にスライドし、アームが上方に回動する。これに伴い、リフティングバーが筬から上方に突出し、バックフェルトを介して、全ての鍵の後端部が押し上げられる。加えて、鍵の後部に載置されたアクションも押し上げられることで、ハンマーも上方に若干、回動した状態に押し上げられる。以上により、全ての鍵の後端部が押し上げられた分、全ての鍵の前端部が下がることにより、鍵の押鍵ストロークが短くなるとともに、ハンマーが押し上げられることによって発音体に近づき、ハンマーストロークも短くなる。その結果、押鍵に伴って上方に回動するハンマーの勢いが弱くなることで、発音体に当たったときの音量が小さくなり、演奏時に弱音が出せるようになっている。
【先行技術文献】
【特許文献】
【０００５】
【特許文献１】特許第５０７０８４４号公報
【発明の概要】
【発明が解決しようとする課題】
【０００６】
上述した従来のストローク調整装置では、ストロークペダルを踏み込んだ状態で左方にずらすように操作することにより、ストロークペダルを踏み込んだ状態に維持し、それにより、押鍵ストローク及びハンマーストロークを短くした状態に維持することが可能である。しかし、このストローク調整装置では、押鍵ストローク及びハンマーストロークはいずれも、ストロークペダルの踏込みの有無による２つのストロークにしか設定することができない。そのため、押鍵ストローク及びハンマーストロークをきめ細かく調整することができず、演奏時における弱音のコントロール性が十分とは言えない。
【０００７】
また、上記のストローク調整装置を、一般に３つのペダル（ソフトペダル、ソステヌートペダル及びラウドペダル）を備えるグランドピアノに適用する場合、上記のストロークペダルを新たに追加しなければならない。この場合、既存のグランドピアノに対し、大幅な設計変更及び多数の追加部品が必要となり、その分、製造コストが上昇してしまうという問題もある。
【０００８】
本発明は、以上のような課題を解決するためになされたものであり、押鍵ストローク及びハンマーストロークをきめ細かく調整することができ、それにより、演奏時における弱音のコントロール性を十分に得ることができるとともに、より小さな音を出すことが可能になることで、ダイナミックレンジをより一層広げることができる鍵盤楽器のストローク調整装置を提供することを目的とする。
【課題を解決するための手段】
【０００９】
上記の目的を達成するために、請求項１に係る発明は、各々が前後方向に延びかつ長さ方向の中央付近に設けられた支点を中心として揺動自在に構成され、互いに左右方向に並設された複数の鍵を有する鍵盤と、複数の鍵ごとに設けられ、対応する鍵の押鍵に連動して回動する複数のハンマーとを備えた鍵盤楽器において、複数の鍵の押鍵ストローク及び複数のハンマーのハンマーストロークを調整する鍵盤楽器のストローク調整装置であって、鍵盤の上側において、鍵盤の左右方向の全体にわたって延び、複数の鍵の支点よりも前方の所定位置を押下げ可能に設けられた鍵盤押さえと、この鍵盤押さえを上下方向に移動自在に支持するとともに、押鍵ストローク及びハンマーストロークの調整時に、鍵盤押さえを、複数の鍵の所定位置を押し下げた状態に保持する鍵盤押さえ支持手段と、を備えていることを特徴とする。
【００１０】
この構成によれば、鍵盤の上側において、鍵盤の左右方向の全体にわたって延びる鍵盤押さえにより、各鍵の支点よりも前方の所定位置を押下げ可能であり、その鍵盤押さえが、鍵盤押さえ支持手段によって、上下方向に移動自在に支持されている。鍵盤楽器における押鍵ストローク及びハンマーストロークの調整時には、鍵盤押さえを、複数の鍵の前部の所定位置を押し下げた状態に保持する。このように、複数の鍵の前部が押し下げられると、各鍵は、支点を中心として前下がりの方向に若干揺動する。その結果、各鍵では、その前端部が押し下げられる深さである押鍵ストロークが、押下げ前に比べて短くなる。
【００１１】
また、アコースティックピアノでは一般に、鍵の上面において、その支点よりも後ろ側に、ハンマーを回動駆動するためのアクションが載置される。上述したように、鍵の前部が押し下げられると、鍵の支点より後方の後部が上動し、それに伴い、アクションが押し上げられることにより、回動するハンマーが弦に近づく。その結果、ハンマーでは、弦に近づいた分、ハンマーと弦の距離であるハンマーストロークが、鍵の前部の押下げ前に比べて短くなる。一方、電子ピアノでは一般に、ハンマーが対応する鍵の揺動に連動して回動するので、上記のように、離鍵状態における鍵の後部が上動すると、その分、ハンマーがあらかじめ回動する。その結果、ハンマーでは、あらかじめ回動した分、最終的な回動位置までの距離（角度）であるハンマーストロークが、鍵の前部の押下げ前に比べて短く（小さく）なる。
【００１２】
以上のように、本発明のストローク調整装置によれば、鍵盤押さえによって、鍵盤の各鍵の支点よりも前方の所定位置を押し下げることにより、複数の鍵の前端部が下がるとともに鍵の後部が上動し、押鍵ストローク及びハンマーストロークを調整することができる。それにより、演奏時における弱音のコントロール性を十分に得ることができるとともに、より小さな音を出すことが可能になることにより、ダイナミックレンジをより一層広げることができる。
【００１３】
請求項２に係る発明は、請求項１に記載の鍵盤楽器のストローク調整装置において、鍵盤押さえ支持手段は、上下方向に延び、鍵盤押さえの端部が摺動自在に係合するガイド溝をそれぞれ有し、鍵盤押さえを上下方向に移動自在に支持する左右２つのホルダと、鍵盤押さえの両端部をそれぞれ上方に付勢する左右２つのばねと、２つのホルダにそれぞれ上方から螺合するとともに、下端部がガイド溝に臨んだ状態で鍵盤押さえの端部に上方から当接し、回転操作によって上下方向に移動することにより、鍵盤押さえの高さを調整する左右２つの調整ねじと、を備えていることを特徴とする。
【００１４】
この構成によれば、鍵盤押さえの左右の端部がそれぞれ、左右２つのホルダのガイド溝に摺動自在に係合している。また、鍵盤押さえの両端部はそれぞれ、左右２つのばねによって上方に付勢されるとともに、各ホルダに上方からねじ込まれた調整ねじの下端部が上方から当接している。各調整ねじをねじ込む方向に回転操作することにより、左右２つのばねの付勢力に抗して、両調整ねじで鍵盤押さえを上方から押圧し、それにより、鍵盤押さえが下降する。一方、各調整ねじをねじ込む方向と逆方向に回転操作することにより、鍵盤押さえの上方への移動が許容され、左右のばねの付勢力によって、鍵盤押さえが上昇する。このように、両調整ねじを回転操作することにより、鍵盤押さえの高さを容易に調整できるので、その鍵盤押さえによる複数の鍵の前部の押下げ量を調整し、それにより、押鍵ストローク及びハンマーストロークをきめ細かく調整することができる。
【００１５】
請求項３に係る発明は、請求項１又は２に記載の鍵盤楽器のストローク調整装置において、鍵盤押さえ支持手段は、離鍵状態において、鍵盤押さえを、鍵盤の全ての鍵との間に隙間を存する高さに保持可能に構成されていることを特徴とする。
【００１６】
この構成によれば、鍵盤押さえを、離鍵状態における鍵盤の全ての鍵との間に隙間が存する高さに保持することが可能であるので、鍵盤楽器の通常の使用状態、すなわち押鍵ストローク及びハンマーストロークが調整されていない通常の状態で、鍵盤楽器を使用することができる。またこの場合には、鍵盤押さえとして、本来の機能、すなわち、演奏時に押鍵された鍵が元の位置に戻る際の跳ね上がりを防止する機能を確保することができる。
【図面の簡単な説明】
【００１７】
【図１】本発明の一実施形態によるストローク調整装置を適用したグランドピアノの外観を示す斜視図である。
【図２】図１のグランドピアノの棚板及び筬、並びにストローク調整装置を示す斜視図である。
【図３】鍵、アクション及びハンマー、並びにストローク調整装置を示す側面図であり、（ａ）は全体を示し、（ｂ）は鍵の後部及びその周囲を拡大して示している。
【図４】（ａ）及び（ｂ）はそれぞれ、図３（ａ）及び（ｂ）に対応し、鍵の前部の押下げに伴い、鍵の後部が上動した状態を示す。
【図５】ストローク調整装置を説明するための図であり、（ａ）は鍵盤押さえを通る垂直面で、鍵盤押さえ及び全ての鍵を切断したときの状態を示し、（ｂ）は鍵盤を背面側から見たときの全ての鍵及び鍵盤枕を示す。
【図６】（ａ）及び（ｂ）はそれぞれ、図５（ａ）及び（ｂ）に対応する図であり、（ａ）は鍵盤押さえによって、鍵盤の全ての鍵の前部を押し下げた状態、（ｂ）は鍵の前部の押下げに伴い、全ての鍵の後端部が上動した状態を示す。
【発明を実施するための形態】
【００１８】
以下、図面を参照しながら、本発明の好ましい実施形態を詳細に説明する。図１は、本発明の一実施形態による鍵盤楽器のストローク調整装置を適用したグランドピアノを示している。同図に示すように、このグランドピアノ１（鍵盤楽器）は、ピアノ本体２と、これを下方から支持する３つの脚３と、ピアノ本体２の下方に設けられ、３つのペダル４ａを有するペダル組立品４などで構成されている。
【００１９】
ピアノ本体２は、その底面前半部を構成する平板状の棚板５を備えており、この棚板５上に後述する筬６が載置され、この筬６によって、鍵盤７が下方から支持されている。鍵盤７は、各々が前後方向に延びる多数（例えば８８鍵）の鍵（白鍵及び黒鍵）７ａを有しており、これらの鍵７ａが左右方向に並んだ状態で配置されている。
【００２０】
図２に示すように、筬６は、スプルスなどの木質材を井桁状に組み立てたものであり、左右方向に延びる筬前１１、筬中１２及び筬後１３、並びにこれらを連結する前後方向に延びる左右の筬妻１４、１４、及びそれらの間に互いに左右方向に間隔を隔てて配置された複数（図２では４つ）の筬中束１５などで構成されている。筬前１１及び筬中１２にはそれぞれ、多数のフロントピン１６及びバランスピン１７（図３等参照）が立設されており、各鍵７ａが、対応するバランスピン１７（支点）を中心として揺動自在に支持されるとともに、フロントピン１６により、横振れが防止されるようになっている。
【００２１】
筬後１３上には、その長さ方向に沿って、複数（本実施形態では５つ）の鍵盤枕１９が載置されている。各鍵盤枕１９は、フェルトなどから成り、平面形状が横長矩形状に形成されている。そして、これらの鍵盤枕１９には、鍵７ａの前端部が押し下げられていない離鍵状態において、鍵盤７の後ろ下がりに傾斜する全ての鍵７ａの後端部が載置されている。
【００２２】
筬６の左右両端部には、左右の筬妻１４、１４上に前後方向に延びるブラケット台２１、２１が設置されるとともに、これらの間の筬中束１５及び筬後１３上に、複数（本実施形態では４つ）の中間ブラケット台２２が設置されている。また、これらのブラケット台２１及び中間ブラケット台２２を介して、所定形状の複数（本実施形態では６つ）のブラケット２３（図３（ａ）、図４（ａ）参照）が筬６上に設置され、これらのブラケット２３に、左右方向に延びるウィッペンレール２４及びハンマーシャンクレール２５（図３、４参照）が掛け渡されている。そして、これらのウィッペンレール２４及びハンマーシャンクレール２５にそれぞれ、複数のアクション２６及びハンマー２７が鍵７ａごとに回動自在に支持されている。
【００２３】
ここで、図３及び図４を参照して、アクション２６及びハンマー２７について簡単に説明する。両図に示すように、アクション２６は、ウィッペン３１、レペティションレバー３２及びジャック３３を有している。ウィッペン３１は、ウィッペンレール２４にねじ止めされたウィッペンフレンジ３４に回動自在に支持されるとともに、鍵７ａの後部の所定位置に立設されたキャプスタンスクリュー８に載置されている。また、レペティションレバー３２及びジャック３３は、ウィッペン３１の上端部及び前端部にそれぞれ回動自在に支持され、ジャック３３の上端部がレペティションレバー３２の前部を貫通した状態でこれに係合している。
【００２４】
一方、ハンマー２７は、前後方向に所定長さ延びるハンマーシャンク３６と、その先端部に設けられたハンマーヘッド３７と、ハンマーシャンク３６の基端寄りの所定位置に下方に突設されたシャンクローラ３８とを有している。そして、このハンマー２７は、ハンマーシャンク３６の基端部において、ハンマーシャンクレール２５にねじ止めされたハンマーシャンクフレンジ３９に回動自在に支持されるとともに、シャンクローラ３８がレペティションレバー３２に載置されている。
【００２５】
以上のように構成されたアクション２６及びハンマー２７では、対応する鍵７ａの前端部が押し下げられると、鍵７ａの後部が上動する。それに伴い、アクション２６では、ウィッペン３１が上方に回動しながら、レペティションレバー３２及びジャック３３が所定動作を実行する。これにより、ハンマー２７が上方に回動し、水平に張設された弦Ｓをハンマーヘッド３７で下方から打弦することによって、楽音が発生する。
【００２６】
次に、本発明のストローク調整装置４０について説明する。図２及び図５（ａ）に示すように、ストローク調整装置４０は、鍵盤７の上側にかつバランスピン１７よりも前方の所定位置において、鍵盤７の左右方向の全体にわたって延びる鍵盤押さえ４１と、左右のブラケット台２１の前端部にそれぞれ設けられ、鍵盤押さえ４１の両端部をそれぞれ支持する左右２つの鍵盤押さえ支持装置４２、４２（鍵盤押さえ支持手段）とを備えている。
【００２７】
鍵盤押さえ４１は、剛性が比較的高い材料から成り、所定長さを有する棒状に形成されている。また、鍵盤押さえ４１は、その両端部が左右の鍵盤押さえ支持装置４２、４２でそれぞれ支持されることにより、水平な姿勢になっている。
【００２８】
各鍵盤押さえ支持装置４２は、鍵盤押さえ４１を上下方向に移動自在に支持するホルダ４３と、このホルダ４３に上方からねじ込まれ、手動で回転操作可能な調整ねじ４４と、ホルダ４３に内蔵され、鍵盤押さえ４１の端部を上方に付勢するばね４５などで構成されている。
【００２９】
ホルダ４３は、外形が縦長のブロック状に形成されており、上下方向に所定長さ延びかつ左右方向に貫通するガイド溝４３ａ（図３（ａ）参照）が形成されている。このガイド溝４３ａには、鍵盤押さえ４１の端部が、ガイド溝４３ａの長さ方向に沿って摺動自在に係合している。
【００３０】
調整ねじ４４は、その頭部を構成し、指でつまんで回転操作されるつまみ部４４ａと、このつまみ部４４ａから下方に延び、ホルダ４３の上部に螺合するとともに、下端部がガイド溝４３ａに臨んだ状態で鍵盤押さえ４１の端部に上方から当接する軸部４４ｂとで構成されている。
【００３１】
図５（ａ）は、ストローク調整前におけるストローク調整装置４０を示している。同図に示すように、ストローク調整前においては、鍵盤押さえ４１は、鍵盤７の全ての鍵７ａとの間に隙間が存する高さに保持されている。また、この場合、図５（ｂ）に示すように、鍵盤７の全ての鍵７ａの後端部は、鍵盤枕１９に載置されている。
【００３２】
ストローク調整を行う場合、上述した図５（ａ）に示す状態から、左右の両調整ねじ４４、４４を、ねじ込む方向に回転操作する。これにより、図６（ａ）に示すように、各調整ねじ４４は、下方に移動し、ばね４５の付勢力に抗して、鍵盤押さえ４１を押圧しながら下降させる。このように、鍵盤押さえ４１が下降することで、鍵盤７の全ての鍵７ａのバランスピン１７よりも前方の所定位置が押し下げられると、各鍵７ａは、バランスピン１７を中心として前下がりの方向に若干揺動する。その結果、各鍵７ａでは、その前端部が押し下げられる深さである押鍵ストロークが、押下げ前に比べて短くなる。
【００３３】
また、上述したように、鍵盤押さえ４１によって鍵７ａの前部が押し下げられると、図４に示すように、鍵７ａのバランスピン１７よりも後方の後部が上動する。この場合、鍵盤７の全ての鍵７ａの後端部は、図６（ｂ）に示すように、高さＨ（例えば最大で１．５ｍｍ）、高くなる。
【００３４】
上記のように、鍵７ａの後部が上動すると、図４に示すように、鍵７ａの後部のキャプスタンスクリュー８に載置されたアクション２６が押し上げられる。そして、アクション２６のレペティションレバー３２にシャンクローラ３８を介して載置されたハンマー２７は、図４（ｂ）に実線で示すように、反時計方向に若干回動し、それにより、ハンマーヘッド３７が上方の弦Ｓに近づく。その結果、ハンマー２７では、ハンマーヘッド３７が弦Ｓに近づいた分、ハンマーヘッド３７と弦Ｓの距離であるハンマーストロークが、鍵７ａの前部の押下げ前に比べて短くなる。
【００３５】
また、ストローク調整が行われたグランドピアノ１において、ストローク調整が不要な場合には、図６（ａ）に示す状態から、両調整ねじ４４、４４を、ねじ込む方向と逆方向に回転操作する。これにより、鍵盤押さえ４１の上方への移動が許容され、左右のばね４５、４５の付勢力によって、鍵盤押さえ４１が上昇する。そして、前述した図５に示すように、鍵盤押さえ４１を、鍵盤７の全ての鍵７ａとの間に隙間が隙間を存する高さまで上昇させる。この場合には、鍵盤押さえ４１として、本来の鍵盤押さえとしての機能、すなわち、演奏時に押鍵された鍵７ａが元の位置に戻る際の跳ね上がりを防止する機能を確保することができる。
【００３６】
以上のように、本実施形態によれば、左右の調整ねじ４４、４４を回転操作することによって、鍵盤押さえ４１で鍵盤７の全ての鍵７ａの前部を押し下げることにより、押鍵ストローク及びハンマーストロークをきめ細かく調整することができる。それにより、演奏時における弱音のコントロール性を十分に得ることができるとともに、より小さな音を出すことが可能になることにより、ダイナミックレンジをより一層広げることができる。
【００３７】
なお、本発明は、説明した上記実施形態に限定されることなく、種々の態様で実施することができる。例えば、実施形態では、本発明のストローク調整装置４０をグランドピアノに適用した場合について説明したが、本発明はこれに限定されるものではなく、アップライトピアノはもちろん、押鍵に連動して回動するハンマーを有する電子ピアノにも適用することが可能である。
【００３８】
また、実施形態で示したストローク調整装置４０の鍵盤押さえ４１及び鍵盤押さえ支持装置４２の細部の構成などは、あくまで例示であり、本発明の趣旨の範囲内で適宜、変更することができる。
【符号の説明】
【００３９】
１    グランドピアノ（鍵盤楽器）
５    棚板
６    筬
７    鍵盤
７ａ  鍵
１７    バランスピン（支点）
１９    鍵盤枕
２６    アクション
２７    ハンマー
４０    ストローク調整装置
４１    鍵盤押さえ
４２    鍵盤押さえ支持装置（鍵盤押さえ支持手段）
４３    ホルダ
４３ａ  ガイド溝
４４    調整ねじ
４４ａ  つまみ部
４４ｂ  軸部
４５    ばね
Ｓ    弦
【図１】
2018072493.tif 000003
【図２】
2018072493.tif 000004
【図３】
2018072493.tif 000005
【図４】
2018072493.tif 000006
【図５】
2018072493.tif 000007
【図６】
2018072493.tif 000008